Podtech/llm-jp-corpus-v4-ja_patent huggingface dataset:
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
ステント内腔を有する管状ステントをステント送達カテーテルの膨張可能なバルーンにクリンプする方法であって、ステントが、配置された直径と、配置された直径より小さいクリンプされた直径とを有し、
・膨張可能なバルーンを収縮した直径にし、管状ステントをほぼ配置された直径にして、ステント送達カテーテルの膨張可能なバルーンを管状ステントのステント内腔の中に挿入するステップ；
・ステント送達カテーテルの膨張可能なバルーンを管状ステントのステント内腔の中で膨張した直径に膨張させるステップ；
・ステント送達カテーテルの膨張可能なバルーンの中の膨張圧を維持しながら管状ステントをクリンプして、クリンプされた直径にするステップ；および
・管状ステントをクリンプされた直径に維持しながらステント送達カテーテルの膨張可能なバルーンを収縮させるステップ
を含む、方法。
【請求項２】
管状ステントがガラス転移温度を有するポリマーから形成され、クリンプステップの前に、管状ステントをガラス転移温度以上の温度に加熱するステップをさらに含む、請求項１に記載の方法。
【請求項３】
管状ステントが生体吸収性ポリマーを含む、請求項２に記載の方法。
【請求項４】
管状ステントがポリ（乳酸）ポリマーを含む、請求項３に記載の方法。
【請求項５】
クリンプステップの後で、管状ステントをガラス転移温度未満の温度に冷却するステップをさらに含む、請求項２に記載の方法。
【請求項６】
ステント送達カテーテルの膨張可能なバルーンが、クリンプステップの前に、管状ステントのステント内腔の中で、約０．２から５．０バールの膨張圧で膨張され、クリンプステップの間、この膨張圧に維持される、請求項１に記載の方法。
【請求項７】
クリンプステップの後で収縮ステップの前に、管状ステントをクリンプされた直径に維持しながら、管状ステントのステント内腔の中のステント送達カテーテルの膨張可能なバルーンの膨張圧を、約３．０から７．０バールの膨張圧に増大するステップをさらに含む、請求項６に記載の方法。
【請求項８】
ステント送達カテーテルの膨張可能なバルーンを管状ステントのステント内腔の中に挿入する前に、管状ステントをほぼ配置された直径でクリンプ機の中に挿入するステップと、管状ステントを予備クリンプして、配置された直径より僅かに小さい予備クリンプされた直径にするステップとをさらに含む、請求項１に記載の方法。
【請求項９】
収縮ステップの後で、管状ステントおよびステント送達カテーテルの膨張可能なバルーンをクリンプ機から取り外すステップをさらに含む、請求項８に記載の方法。
【請求項１０】
管状ステントがガラス転移温度を有するポリマーから形成され、
・ステント送達カテーテルの膨張可能なバルーンを管状ステントのステント内腔の中に挿入する前に、管状ステントをほぼ配置された直径でクリンプ機の中に挿入し、管状ステントを予備クリンプして、配置された直径より僅かに小さい予備クリンプされた直径にするステップ；
・クリンプステップの前に、管状ステントをガラス転移温度以上の温度に加熱するステップ；
・クリンプステップの前に、管状ステントのステント内腔の中のステント送達カテーテルの膨張可能なバルーンを、約０．２から２．０バールの膨張圧で膨張させ、クリンプステップの間、この膨張圧に維持するステップ；
・クリンプステップの後で収縮ステップの前に、管状ステントをクリンプされた直径に維持しながら、管状ステントのステント内腔の中のステント送達カテーテルの膨張可能なバルーンの膨張圧を、約３．０から７．０バールの膨張圧に増大し、管状ステントをガラス転移温度未満の温度に冷却するステップ；および
・収縮ステップの後で、管状ステントおよびステント送達カテーテルの膨張可能なバルーンをクリンプ機から取り外すステップ
をさらに含む、請求項１に記載の方法。
【請求項１１】
管状ステントが生体吸収性ポリマーを含む、請求項１０に記載の方法。
【請求項１２】
管状ステントがポリ（乳酸）ポリマーを含む、請求項１１の方法。
【請求項１３】
装置であって、
・管状ステントのステント内腔の周囲に配列された複数のステントストラットと、ステントストラットの間の複数の空隙とを有する管状ステントであって、管状ステントが未配置の、クリンプされた直径の状態にある管状ステント；および
・管状ステントのステント内腔の中に位置する膨張可能なバルーンであって、膨張可能なバルーンが未配置の、収縮した直径の状態にあり、膨張可能なバルーンの壁材料が複数の襞状に配列された膨張可能なバルーン
を含み、
複数のステントストラットが管状ステントの周囲に均一に分布し、膨張可能なバルーンの壁材料が管状ステントの周囲に均一に分布している
装置。
【請求項１４】
膨張可能なバルーンの壁材料がステントストラットの間の複数の空隙の中に突出している、請求項１３に記載の装置。
【請求項１５】
膨張可能なバルーンのほぼ等量の壁材料が、ステントストラットの間の複数の空隙のそれぞれの中に突出している、請求項１４に記載の装置。
【請求項１６】
ステントが近位端および遠位端を有し、膨張可能なバルーンの壁材料が、ステントの近位端を超えて位置し増大した直径を有する近位バンパーと、ステントの遠位端を超えて位置し増大した直径を有する遠位バンパーとを形成するように構成されている、請求項１３に記載の装置。
【請求項１７】
複数のステントストラットが、それぞれ膨張可能なバルーンの壁材料と接している、請求項１３に記載の装置。
【請求項１８】
複数のステントストラットが、管状ステントの周囲に配列された複数の閉鎖セルを取り囲むように構成されている、請求項１３に記載の装置。
【請求項１９】
複数のステントストラットが、管状ステントの周囲にリング状に配列された複数の閉鎖セルを取り囲むように構成され、複数の連結ストラットが閉鎖セルの隣接したリングを結合している、請求項１３に記載の装置。
【請求項２０】
管状ステントが生体吸収性材料を含む、請求項１３に記載の装置。
【請求項２１】
生体吸収性材料が少なくとも４５℃のガラス転移温度（Ｔｇ）を有する、請求項２０に記載の装置。
【請求項２２】
管状ステントが抗増殖剤を含む、請求項１３に記載の装置。
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
身体活動を監視するシステムであって、鼻より下位の体内の生体組織の一つと、口の内側の硬口蓋と、口の内側の歯茎と、鼻の内側の鼻孔との接触を維持するように構成された少なくとも１つのセンサを含む身体取付装置と、
前記少なくとも１つのセンサによって信号プロセッサに提供される、多成分脳系生体信号以外の複数の副成分脳系生体信号を特定するようにプログラムされた前記少なくとも１つのセンサに動作的に連結される信号プロセッサであって、前記複数の副成分脳系生体信号からの異なる身体活動と関連し、測定するように、さらにプログラムされる、信号プロセッサと、
前記信号プロセッサによって、前記複数の副成分脳系生体信号から決定される１以上の身体活動の測定に応じて、前記装置の機能、及び前記装置の表示の少なくとも１つを変更するために、前記信号プロセッサからの指示を受信するように機能的に接続される電子的な身体監視装置と、
を備えるシステム。
【請求項２】
前記少なくとも１つのセンサは、生体電位信号電極と、生体電位基準電極とを備える、請求項１に記載のシステム。
【請求項３】
前記電極の少なくもと１つは、導電性生体適合性金属と、前記導電性生体適合性金属に接続される導電性ケーブルとを備える、請求項２に記載のシステム。
【請求項４】
前記電極の少なくとも１つは、サーミスタと、発泡材のカバーとを備える、請求項３に記載のシステム。
【請求項５】
前記信号プロセッサは、バンドバスフィルタを含むようにプログラムされる、請求項１に記載のシステム。
【請求項６】
前記身体活動は、１以上の心臓の活動、眼球の活動、及び呼吸の活動を含む、請求項１に記載のシステム。
【請求項７】
前記少なくとも１つの電極は凸状である、請求項１に記載のシステム。
【請求項８】
前記少なくとも１つの電極は凹状である、請求項１に記載のシステム。
【請求項９】
少なくとも２つの電極は、眼球運動の検出を高めるように、対向配置で配置される、請求項２に記載のシステム。
【請求項１０】
少なくとも２つの電極は、眼球運動の検出を最小化するように、非対向配置で配置される、請求項２に記載のシステム。
【請求項１１】
前記身体取付装置は、歯に取り付けるように構成されるマウスガードを含む、請求項１に記載のシステム。
【請求項１２】
前記身体取付装置は、硬口蓋又は歯茎に押圧するような前記少なくとも１つのセンサにばね力を提供する柔軟なセンササポートを含む、請求項１に記載のシステム。
【請求項１３】
前記柔軟なセンササポートは、舌運動アーチファクト、及び電気的双極子アーチファクトの１つ、又は両方を防ぐような機械的、及び電気的な遮蔽として構成される、請求項１２に記載のシステム。
【請求項１４】
前記身体取付装置は、１以上の歯、歯茎、硬口蓋に取り付けるように構成される粘着性ストリップを備える薄い可撓性材料を含む、請求項１に記載のシステム
【請求項１５】
前記信号プロセッサは、前記少なくとも１つのセンサに動作的に連結される無線発信機への無線接続を含む、請求項１に記載のシステム。
【請求項１６】
前記信号プロセッサは、スマートフォン又は携帯機器を備える、請求項１５に記載のシステム。
【請求項１７】
前記電子的な身体監視装置は、睡眠時無呼吸モニタである、請求項１６に記載のシステム。
【請求項１８】
前記信号プロセッサは、前記電子的な身体監視装置が、体内の生体組織に配置されるべき、及び体内の生体組織から取り除かれるべきときを決定する、請求項１に記載のシステム。
【請求項１９】
前記信号プロセッサは、前記身体取付装置に組み込まれたマイクロプロセッサチップを備える、請求項１に記載の装置。
【請求項２０】
前記複数の副成分脳系生体信号からのデータを保存する、前記身体取付装置に組み込まれたデータ記憶メモリと、前記信号プロセッサが備える、前記データ記憶メモリに連通される外部処理装置とをさらに備える、請求項１に記載のシステム。
【手続補正２】
【補正対象書類名】明細書
【補正対象項目名】００３７
【補正方法】変更
【補正の内容】
【００３７】
ＩＣＡプロセッサ７００は、生の硬口蓋多成分生体信号の個々の副成分信号を、それぞれの成分を予め知ることなく判定する。各副成分を効果的に判定するために、検出器（センサ）の数は個々の信号成分の数以上とすべきである。実施例は、生体電位を検出するのに、それぞれが全体で６つの検出器を提供する内蔵サーミスタを有する３つの電極を利用してもよい。この実施例は、４つの副成分生体信号を検出することができる。成分を分離するために、ＪＡＤＥアルゴリズム（Ｊｏｉｎｔ  Ａｐｐｒｏｘｉｍａｔｅ  Ｄｉａｇｏｎａｌｉｚａｔｉｏｎ  Ｅｉｇｎｅｎ  Ｍａｔｒｉｃｅｓ：小さいデータセットに対して最も良好に働く傾向がある）を組み込むことができ、これは、コンピュータのＩＣＡプロセッサ７００又はフィールドプログラマブルゲートアレイ（ＦＰＧＡ）によって使用される。
【手続補正３】
【補正対象書類名】明細書
【補正対象項目名】００５６
【補正方法】変更
【補正の内容】
【００５６】
図１４は、下顎とフレキシブル電子回路との接触を維持するための生体適合性接着剤を組み込んだ薄い可撓性プラットフォームを含む口内取付装置１０００を示す。電極１１，１２及び１３は、歯茎及び硬口蓋に対してわずかなばね力を加えて電極が口内組織と接触した状態を確保する構造体内に位置付けられる。幾つかの実施例は、センサ５２、電子機器６０１及び送信ユニット６０６を含んでもよい。
【手続補正４】
【補正対象書類名】明細書
【補正対象項目名】００６０
【補正方法】変更
【補正の内容】
【００６０】
本発明の実施例は、多成分脳系生体信号（図２）の検出を可能とし、その多成分脳系生体信号から、アルファ波及びその他の波（図３）や眼球運動（図５）、呼吸（図８）、ＥＣＧ（図７）を含む脳系電気的活動を含む副成分生体信号を抽出することができる。脳の電気的活動副成分信号は、睡眠状態／ステージ及び全体の睡眠時間の判定を可能とすることができる。呼吸副成分生体信号は、無呼吸イベントの判定を可能とすることができる。眼球運動副成分生体信号は、急速眼球運動（ＲＥＭ）の判定を可能とすることができる。また、ＥＣＧ副成分生体信号は、睡眠中の心拍数の判定を可能とすることができる。これらの副成分生体信号の各々又は組み合わせを分析することによって、手動で又はコンピュータシステム／プログラムを用いて、患者の睡眠パターンを判定してＯＳＡを診断することができる。
【手続補正５】
【補正対象書類名】明細書
【補正対象項目名】００６４
【補正方法】変更
【補正の内容】
【００６４】
幾つかの実施例において、口内装置は、患者の口から取り外した時に自動でオフにしてもよい。他の実施例において、口内装置は、手動でオフにしてもよい。その後、装置に記憶された信号を、信号データを解釈するためのソフトウェアプログラムを含むコンピュータシステムにアップロードして、医師又は他の医療従事者が行う診断に利用することができる。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
ユーザの顔に適した患者インタフェースを識別する患者インタフェース識別システムであって、
前記ユーザの顔を含む試験画像を受信する受信ユニットと、
他のユーザの顔を含む基準画像を格納するデータベースであって、各基準画像が、前記基準画像において画像化される顔に適した患者インタフェースに関する情報を含む患者インタフェースアドバイスに対して参照される、データベースと、
前記データベースに格納される基準画像の少なくとも部分と前記受信した試験画像とを比較する処理ユニットであって、前記基準画像の部分と前記試験画像との比較が、前記ユーザの顔及び前記他のユーザの顔の画像ベースの特徴の比較を含む、処理ユニットと、
前記ユーザの顔に適した患者インタフェースに関連付けられる情報を含む患者インタフェースアドバイスを伝達するユーザインタフェースであって、前記患者インタフェースアドバイスが、前記データベースに格納される基準画像の部分と前記試験画像との比較に基づかれる、ユーザインタフェースとを有する、患者インタフェース識別システム。
【請求項２】
前記ユーザの顔及び前記他のユーザの顔の前記画像ベースの特徴の比較が、前記試験画像及び前記基準画像に含まれる生体構造ランドマークの間の角度比率又は距離比率の決定と、前記試験画像における前記角度比率又は距離比率と前記基準画像の部分の各々において対応する角度比率又は距離比率との比較とを含む、請求項１に記載の患者インタフェース識別システム。
【請求項３】
前記処理ユニットが、前記試験画像における前記角度比率又は距離比率と前記基準画像の１つにおいて対応する角度比率又は距離比率との間のベストマッチに基づき、前記患者インタフェースアドバイスを決定するよう構成される、請求項２に記載の患者インタフェース識別システム。
【請求項４】
前記ベストマッチが、前記試験画像における前記角度比率又は距離比率と前記基準画像の部分の各々において対応する角度比率又は距離比率との間の最小二乗を算出することにより決定される、請求項２に記載の患者インタフェース識別システム。
【請求項５】
前記ユーザの顔及び前記他のユーザの顔の前記画像ベースの特徴の比較が、前記試験画像及び前記基準画像に含まれる生体構造ランドマークに対する所定の位置での強度勾配の決定と、前記試験画像における前記強度勾配と前記基準画像の部分の各々において対応する強度勾配との比較とを含む、請求項１に記載の患者インタフェース識別システム。
【請求項６】
前記生体構造ランドマークが、目、鼻若しくは口又はこれらの一部の位置に関連付けられる、請求項２又は５に記載の患者インタフェース識別システム。
【請求項７】
前記処理ユニットが更に、前記試験画像及び前記基準画像を分析及び比較する前に、前記試験画像及び前記基準画像の部分の各々において関心領域を検出し、前記試験画像及び前記基準画像を前記関心領域へと切り取り、前記試験画像及び前記基準画像の大きさを一般的な所定のサイズへと変更するよう構成される、請求項１に記載の患者インタフェース識別システム。
【請求項８】
前記関心領域が、前記試験画像に含まれる前記ユーザの顔又は前記基準画像に含まれる前記他のユーザの顔を含む、請求項７に記載の患者インタフェース識別システム。
【請求項９】
前記処理ユニットが更に、前記試験画像及び前記基準画像を分析及び比較する前に、前記試験画像及び前記基準画像をグレースケール画像へと変換するよう構成される、請求項１に記載の患者インタフェース識別システム。
【請求項１０】
前記患者インタフェースアドバイスが、前記ユーザに対して推奨される前記患者インタフェースのサイズ、形状及び／又はタイプに関する情報を含む、請求項１に記載の患者インタフェース識別システム。
【請求項１１】
前記ユーザインタフェースが、ベストマッチ患者インタフェースからワーストマッチ患者インタフェースへの階層的な順において、前記ユーザの顔に適した患者インタフェースを識別する患者インタフェースアドバイスを伝達するよう構成される、請求項１に記載の患者インタフェース識別システム。
【請求項１２】
前記ユーザの顔の前記試験画像をキャプチャする画像キャプチャユニットを更に有する、請求項１に記載の患者インタフェース識別システム。
【請求項１３】
ユーザの顔に適した患者インタフェースを識別する方法において、
前記ユーザの顔を含む試験画像を受信するステップと、
データベースに他のユーザの顔を含む基準画像を格納するステップであって、各基準画像が、前記基準画像において画像化される顔に適した患者インタフェースに関する情報を含む患者インタフェースアドバイスに対して参照される、ステップと、
前記データベースに格納される基準画像の少なくとも部分と前記受信した試験画像とを比較するステップであって、前記基準画像の部分と前記試験画像との比較が、前記ユーザの顔及び前記他のユーザの顔の画像ベースの特徴の比較を含む、ステップと、
前記ユーザの顔に適した患者インタフェースに関連付けられる情報を含む患者インタフェースアドバイスを伝達するステップであって、前記患者インタフェースアドバイスが、前記データベースに格納される基準画像の部分と前記試験画像との比較に基づかれる、ステップとを有する、方法。
【請求項１４】
請求項１乃至１２のいずれかに記載のシステムを制御する方法において、
前記ユーザの顔を含む試験画像を受信するステップと、
データベースに他のユーザの顔を含む基準画像を格納するステップであって、各基準画像が、前記基準画像において画像化される顔に適した患者インタフェースに関する情報を含む患者インタフェースアドバイスに対して参照される、ステップと、
前記データベースに格納される基準画像の少なくとも部分と前記受信した試験画像とを比較するステップであって、前記基準画像の部分と前記試験画像との比較が、前記ユーザの顔及び前記他のユーザの顔の画像ベースの特徴の比較を含む、ステップと、
前記ユーザの顔に適した患者インタフェースに関連付けられる情報を含む患者インタフェースアドバイスを伝達するステップであって、前記患者インタフェースアドバイスが、前記データベースに格納される基準画像の部分と前記試験画像との比較に基づかれる、ステップとを有する、方法。
【請求項１５】
コンピュータ上で実行されるとき、コンピュータに請求項１３に記載の方法のステップを実行させるためのプログラムコード手段を有するコンピュータプログラム。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
誘因剤収納装置において、
（ａ）前記誘因剤収納装置へのアクセスを提供するエラストマー材料製の膜（２）を有し、前記膜は、揮発性成分に対し透過性があり、蚊又は昆虫の口先が容易に貫通できる構造であり、紫外線（ＵＶ）露出に起因する劣化に対し耐性を有する
ことを特徴とする誘因剤収納装置。
【請求項２】
前記膜の厚さは、５０ミクロン以下の厚さ又は１００ミクロン以下の厚さからなるグループから選択される
ことを特徴とする請求項１記載の装置。
【請求項３】
前記膜の硬さは、ショアＡ硬度が５０以下の硬さ又は６０以下の硬さからなるグループから選択される
あることを特徴とする請求項１又は２記載の装置。
【請求項４】
前記膜は、封入物（１０）を有することを特徴とする請求項１記載の装置。
【請求項５】
前記膜は、少なくとも１つの孔を有することを特徴とする請求項１記載の装置。
【請求項６】
前記少なくとも１つの孔の直径は、１００ミクロン以下であることを特徴とする請求項５記載の装置。
【請求項７】
（ｂ）前記誘因剤収納装置に誘因剤である餌を具備させる餌剤（４）を更に有し、前記餌剤は、砂糖を原料とする餌と、経口あるいは接触による蚊又は昆虫用毒素と、溶剤を含み、前記餌剤は、前記膜と直接接触している
ことを特徴とする請求項１記載の装置。
【請求項８】
前記餌剤は、芳香剤を有することを特徴とする請求項７記載の装置。
【請求項９】
前記餌剤は、前記膜の支持部材としての繊維材料を含むことを特徴とする請求項７記載の装置。
【請求項１０】
前記膜は、ポリジメティル・シロキサンポリマー（polydimethyl siloxanes(PDMS)polymers);  シリコンゴム（silicone rubber）; アリファティク・ポリウレタン（aliphaticpolyurethanes）; エチレン−ビニル・アセテート（ethylene-vinyl acetate）; エチレン−アクリエステル共重合体とテルポリマー（ethylene-acrylicester copolmers terpolymers）; エチレン−プロピレン・ゴム（ethylene-propylene rubber）; プラスマー（plastomers(特にエチレン−ヘキセンとエチレン−オクテン共重合体（ethylene-hexene and ethylene-octene copolymers)）;熱可塑性硫化ゴム（thermoplastic vulcanized rubber(TPV)）; 水素化合させたブロック・スチレン−エチレン・ブチレン（hydrogenated block styrene-ethylene butylenes(SEBS)）; ブロック・スチレン・イソプレン（block styrene isoprene(SIBS)）からなるグループから選択されたエラストマー材料製である
ことを特徴とする請求項１、３，７のいずれかに記載の装置。
【請求項１１】
前記膜の厚さは、５０ミクロン以下の厚さ又は１００ミクロン以下の厚さからなるグループから選択される
ことを特徴とする請求項１０記載の装置。
【請求項１２】
誘因剤収納装置を提供する方法において、
（ａ）前記誘因剤収納装置へのアクセスを提供するエラストマー材料製の膜（２）を提供するステップを有し、前記膜は、揮発性成分に対し透過性があり、蚊又は昆虫の口先が容易に貫通できる構造であり、紫外線（ＵＶ）露出に起因する劣化に対し耐性を有する
ことを特徴とする誘因剤収納装置を提供する方法。
【請求項１３】
（ｂ）前記誘因剤収納装置に餌剤（４）を具備させるステップを更に有し、前記餌剤は、砂糖を原料とする餌と、経口あるいは接触による蚊又は昆虫用毒素と、溶剤を含み、前記餌剤は、前記膜と直接接触している
ことを特徴とする請求項１２記載の方法。
【請求項１４】
誘因剤収納装置を提供する方法において、
（ａ）餌剤に直接接触するエラストマー材料製の膜（２）を用意するステップを有し、
前記膜は、揮発性成分に対し透過性があり、蚊又は昆虫の口先が容易に貫通できる構造であり、外部環境又は室内環境に起因する劣化に対し耐性を有し、前記餌剤は、砂糖を原料とする餌と、経口あるいは接触による蚊又は昆虫用毒素と、溶剤とを含む
ことを特徴とする誘因剤収納装置を提供する方法。
【請求項１５】
（ｃ）前記膜は、ポリジメティル・シロキサンポリマー（polydimethyl siloxanes(PDMS)polymers);  シリコンゴム（silicone rubber）; アリファティク・ポリウレタン（aliphaticpolyurethanes）; エチレン−ビニル・アセテート（ethylene-vinyl acetate）; エチレン−アクリエステル共重合体とテルポリマー（ethylene-acrylicester copolmers terpolymers）; エチレン−プロピレン・ゴム（ethylene-propylene rubber）; プラスマー（plastomers(特にエチレン−ヘキセンとエチレン−オクテン共重合体（ethylene-hexene and ethylene-octene copolymers)）;熱可塑性硫化ゴム（thermoplastic vulcanized rubber(TPV)）; 水素化合させたブロック・スチレン−エチレン・ブチレン（hydrogenated block styrene-ethylene butylenes(SEBS)）; ブロック・スチレン・イソプレン（block styrene isoprene(SIBS)）からなるグループから選択されたエラストマー材料製であること、
（ｄ）前記膜の厚さは、５０ミクロン以下の厚さ又は１００ミクロン以下の厚さからなるグループから選択されること、、
（ｅ）前記膜の硬さは、ショアＡ硬度が５０以下の硬さ又は６０以下の硬さからなるグループから選択されること、
（ｆ）前記膜は、封入物を有すること、
（ｇ）前記膜は、少なくとも１つの孔を有すること、
（ｈ）前記少なくとも１つの孔の直径は１００ミクロン以下であること、
（ｉ）前記餌剤は芳香剤を有すること、
（ｊ）前記餌剤は前記膜の支持部材としての繊維材料を含むこと、
上記の（ｃ）−（ｊ）のいずれかの要件を満たす
ことを特徴とする請求項１２−１４のいずれかに記載の方法。
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
多糖の生成のための、遺伝子操作されたグラム陰性細菌であって、グラム陽性細菌の莢膜多糖遺伝子クラスターの調節遺伝子を含む、上記グラム陰性細菌。
【請求項２】
前記莢膜多糖遺伝子クラスターのオープンリーディングフレームのうち、少なくとも25％、50％、75％、85％、90％、または少なくとも95％を含む、請求項1に記載のグラム陰性細菌。
【請求項３】
エシェリキア属の種、大腸菌、シゲラ属の種、クレブシエラ属の種、サルモネラ属の種、イェルシニア属の種、ナイセリア属の種、ビブリオ属の種およびシュードモナス属の種からなる群より選択される、請求項1に記載のグラム陰性細菌。
【請求項４】
前記調節遺伝子が肺炎連鎖球菌（Streptococcus pneumoniae）調節遺伝子、場合により肺炎連鎖球菌1型または肺炎連鎖球菌4型に由来する調節遺伝子である、請求項1〜3のいずれか1項に記載のグラム陰性細菌。
【請求項５】
前記調節遺伝子が、黄色ブドウ球菌（Staphylococcus aureus）調節遺伝子である、請求項1〜4のいずれか1項に記載のグラム陰性細菌。
【請求項６】
前記調節遺伝子が、B群溶血性連鎖球菌（Staphylococcus agalactiae）調節遺伝子である、請求項1〜5のいずれか1項に記載のグラム陰性細菌。
【請求項７】
前記調節遺伝子が、エンテロコッカス・フェカリス（Enterococcus faecalis）調節遺伝子である、請求項1〜6のいずれか1項に記載のグラム陰性細菌。
【請求項８】
オリゴサッカリルトランスフェラーゼをさらに含み、場合により該オリゴサッカリルトランスフェラーゼが、前記グラム陰性細菌にとって異種である、請求項1〜7のいずれか1項に記載のグラム陰性細菌。
【請求項９】
前記グラム陰性細菌にとってネイティブの1種以上の遺伝子が欠失されているか、または不活性化されており、場合により該1種以上の欠失された遺伝子が、waaL遺伝子を含む、または該1種以上の欠失された遺伝子が、前記グラム陰性細菌でのO抗原生合成に関連するすべての遺伝子を含む、請求項1〜8のいずれか1項に記載のグラム陰性細菌。
【請求項１０】
前記調節遺伝子が、wzg、wzh、wzd、wze、capA、capB、またはcapCである、請求項1〜9のいずれか1項に記載のグラム陰性細菌。
【請求項１１】
グリコシル化のためのコンセンサス配列を含む担体タンパク質をコードする核酸をさらに含み、場合により担体タンパク質をコードする該核酸が、前記グラム陰性細菌にとって異種である、または場合により前記担体タンパク質が、緑膿菌（P. aeruginosa）由来の無毒化型外毒素A、CRM197、ジフテリアトキソイド、破傷風トキソイド、黄色ブドウ球菌の無毒化型溶血素A、クランピング因子A、クランピング因子B、大腸菌FimH、大腸菌FimHC、大腸菌易熱性エンテロトキシン、大腸菌易熱性エンテロトキシンの無毒化型変異体、コレラ毒素Bサブユニット（CTB）、コレラ毒素、コレラ毒素の無毒化型変異体、大腸菌satタンパク質、大腸菌satタンパク質のパッセンジャードメイン（passenger domain）、C.ジェジュニ（C. jejuni）AcrA、C.ジェジュニ天然糖タンパク質、肺炎連鎖球菌ニューモリシン、肺炎連鎖球菌NOX、肺炎連鎖球菌PspA、肺炎連鎖球菌PcpA、肺炎連鎖球菌PhtD、肺炎連鎖球菌PhtE、肺炎連鎖球菌Ply、または肺炎連鎖球菌LytBである、請求項1〜10のいずれか1項に記載のグラム陰性細菌。
【請求項１２】
前記莢膜多糖が、肺炎連鎖球菌CPS1、CPS2、CPS3、CP4、CPS5、CPS6（AおよびB）、CPS7（A、B、C）、CPS8、CPS9（A、L、N、V）、CPS10（A、B、C、F）、CPS11（A、B、C、D、F）、CPS12（A、B、F）、CPS13、CPS14、CPS15（A、B、C、F）、CPS16（A、F）、CPS17（A、F）、CPS18（A、B、C、F）、CPS19（A、B、C、F）、CPS20、CPS21、CPS22（A、F）、CPS23（A、B、F）、CPS24（A、B、F）、CPS25（A、F）、CPS26、CPS27、CPS28（A、F）、CPS29、CPS31、CPS32（A、F）、CPS33（A、B、C、D、F）、CPS34、CPS35（A、B、C、D、F）、CPS36、CPS37、CPS38、CPS39、CPS40、CPS41（A、F）、CPS42、CPS43、CPS44、CPS45、CPS46、CPS47（A、F）、もしくはCPS48；または黄色ブドウ球菌CPS5、もしくはCPS8；B群溶血性連鎖球菌（B群、GBS）CPSIa、CPSIb、CPSII、CPSIII、CPSIV、CPSV、CPSVI、CPSVII、もしくはCPSVIII；またはエンテロコッカス・フェカリスCPSA、CPSB、CPSC、もしくはCPSDである、請求項1〜11のいずれか1項に記載のグラム陰性細菌。
【請求項１３】
請求項1〜12のいずれか1項に記載のグラム陰性細菌により生成される組み換え糖タンパク質。
【請求項１４】
タンパク質の産生に好適な条件下で請求項1〜12のいずれか1項に記載のグラム陰性細菌を培養するステップを含み、場合によりさらに該組み換え糖タンパク質を精製するステップを含む、組み換え糖タンパク質の生成方法。
【請求項１５】
プレシオモナス・シゲロイデス（Plesiomonas shigelloides）O抗原遺伝子クラスターを含む遺伝子操作された大腸菌細胞であって、該O抗原遺伝子クラスターのwbgW遺伝子が不活性化されており、該大腸菌細胞がUnd-PP-D-FucNAc4Nを生成する、上記大腸菌細胞。
【請求項１６】
ソンネ赤痢菌（Shigella sonnei）またはプレシオモナス・シゲロイデスO17 O抗原遺伝子クラスターを含む遺伝子操作された大腸菌細胞であって、該O抗原遺伝子クラスターのwbgW遺伝子が不活性化されており、該大腸菌細胞がUnd-PP-D-FucNAc4Nを生成する、上記大腸菌細胞。
【請求項１７】
タンパク質の産生に好適な条件下で請求項1〜12のいずれか1項に記載のグラム陰性細菌を培養するステップを含み、場合によりさらに該組み換え糖タンパク質を精製するステップを含む、グラム陰性細菌の莢膜多糖を含む組み換え糖タンパク質の生成方法。
【請求項１８】
タンパク質の産生に好適な条件下で請求項1〜4及び8〜12のいずれか1項に記載のグラム陰性細菌を培養し、場合によりさらに該組み換え糖タンパク質を精製することにより、組み換え糖タンパク質を生成するステップを含む、肺炎球菌多糖を含む糖コンジュゲートワクチンの生成方法。
【請求項１９】
請求項1〜4及び8〜12のいずれか1項に記載のグラム陰性細菌により生成される肺炎球菌多糖を含む、肺炎連鎖球菌ワクチン。
【誤訳訂正書】
【提出日】平成28年7月1日(2016.7.1)
【誤訳訂正１】
【訂正対象書類名】明細書
【訂正対象項目名】００７８
【訂正方法】変更
【訂正の内容】
【００７８】
リン酸塩層の厚さ
上記原子濃度に基づいて、リン酸塩層の厚さを下記の式に基づいて算出した：−ＺｒＯ２の正方晶構造、（１０１）面（ユニットセル３．６Å×３．６Å×５．１８Å；２Ｚｒ、４Ｏ）
→ｎＺｒ，１０１＝７．５８ａｔｏｍｓ／ｎｍ２；層間距離ｄＺｒ，１０１＝０．２５４ｎｍ−リン酸塩結合サイトの数は、表面上のＺｒ原子の数と等しい
→ｎｐ，１０１＝７．５８ａｔｏｍｓ／ｎｍ２（結合サイトの数は表面上のＺｒ原子の数と等しい）−電子の平均自由行程：λ＝３．４７ｎｍ
そして、リン酸塩層の厚さは下記計算式を使用して計算した：
【化１】
2015533546.tif 000001
（θは電子放出角度であり；本発明の場合θ＝４５°）
上記二つのサンプルの平均値に基づいて、リン酸塩層の厚さは１．１単層として決定された。
【誤訳訂正２】
【訂正対象書類名】明細書
【訂正対象項目名】００８３
【訂正方法】変更
【訂正の内容】
【００８３】
表面組成
ついで、表面をＡｒ流で送風乾燥した。
表面の化学組成をＸＰＳで決定し、そして下記に示す：
【表３】
2015533546.tif 000002
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
患者の開口部を通して低侵襲性手術を行うための手術システムであって、当該システムは：
手術用ツールを含むマニピュレータ・アセンブリであって、該マニピュレータ・アセンブリは、複数の関節及び第１数の自由度を含んでおり、前記マニピュレータ・アセンブリは、前記患者の開口部に前記手術用ツールを位置決めするように作動可能である、マニピュレータ・アセンブリと；
前記手術用ツールの第２数の自由度のそれぞれについて、前記手術用ツールの位置を測定するように作動可能なツール位置測定装置と；
各関節の位置を推定するとともに、前記関節の推定位置に基づいて前記マニピュレータ・アセンブリを制御するように作動可能な制御装置であって、各関節の位置を推定することは、位置測定値を前記マニピュレータ・アセンブリの運動学モデルに適用することを含み、前記運動学モデルは、第１数の自由度のよりも多い第３数の自由度を有する、制御装置と；を備える、
手術システム。
【請求項２】
前記ツール位置測定装置は、前記手術用ツールのチップに延びる光ファイバを含む、
請求項１に記載の手術システム。
【請求項３】
位置測定値を前記運動学モデルに適用することにより、関節数よりも多い数の推定位置がもたらされ、前記制御装置は、全ての推定位置の中から、推定位置のサブセットのみを使用して前記マニピュレータ・アセンブリを制御するように作動可能である、
請求項１に記載の手術システム。
【請求項４】
外科医からの入力を受け取るための入力装置を含む外科医コンソールをさらに備えており、前記制御装置は、前記関節の推定位置及び前記入力装置から受け取った入力に基づいて、前記マニピュレータ・アセンブリを制御するように作動可能である、
請求項１に記載の手術システム。
【請求項５】
位置測定値を前記運動学モデルに適用することにより、関節数よりも多い数の推定位置がもたらされ、前記制御装置は、推定位置のサブセットと前記入力装置から受け取った入力とを組み合わせることによって、前記マニピュレータ・アセンブリを制御するように作動可能である、
請求項４に記載の手術システム。
【請求項６】
第３数の自由度は、前記手術用ツールの位置を完全に規定するために必要な数の自由度以下である、
請求項１に記載の手術システム。
【請求項７】
第１数の自由度は、前記手術用ツールの位置を完全に規定するために必要な数の自由度以上であり、各関節の位置を推定することは、位置測定値のいくつかの値を前記マニピュレータ・アセンブリの第１の部分の第１運動学モデルに適用し、且つ前記位置測定値の他の値を前記マニピュレータ・アセンブリの第２の部分の第２運動学モデルに適用することを含む、
請求項１に記載の手術システム。
【請求項８】
機械本体の動きを制御するための方法であって、当該方法は：
機械本体の位置を制御するための制御情報を受け取るステップであって、前記機械本体は、第１数の自由度を有する、受け取るステップと；
受け取った制御情報を運動学モデルに適用することによって、複数の個々の制御出力を生成するステップであって、前記運動学モデルは、第１数の自由度よりも多い第２数の自由度を有しており、個々の制御出力のサブセットが、第１数の自由度の制御に影響を与えるように構成される、生成するステップと；
前記機械本体の第１数の自由度を制御するのに使用するための個々の制御出力のサブセットを送信するステップと；を含む、
方法。
【請求項９】
前記制御情報は、入力装置から受け取られ、且つ前記機械本体の所望の位置を示す情報が含まれている、
請求項８に記載の方法。
【請求項１０】
前記個々の制御出力のサブセットは、第１数の自由度の所望の位置を示す、
請求項９に記載の方法。
【請求項１１】
第１数の自由度のそれぞれについて、トルク量を示すトルク指令を生成し、自由度に対応する個々の制御出力と、自由度に対応する関節位置を示す関節位置情報とを組み合わせることによって、自由度を制御可能にするように関節モータに前記トルク指令を適用するステップをさらに含む、
請求項１０に記載の方法。
【請求項１２】
前記制御情報は、ツール位置測定装置から受け取られ、且つ前記機械本体に結合されたツールの第３数の自由度の位置のそれぞれの測定値が含まれている、
請求項８に記載の方法。
【請求項１３】
前記個々の制御出力のサブセットは、第１数の自由度の実際の位置を示す、
請求項１２に記載の方法。
【請求項１４】
第１数の自由度のそれぞれについて、トルク量を示すトルク指令を生成し、自由度に対応する個々の出力制御と、自由度に対応する関節の所望の位置を示す所望の位置情報とを組み合わせることによって、自由度を制御可能にするように関節モータに前記トルク指令を適用するステップをさらに含む、
請求項１３に記載の方法。
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
袖付きの衣類を収容するための衣類キャリアであって、
衣類サポートと、
使用時に前記衣類サポートの上に配置可能な袖サポートであって、前記衣類を前記衣類サポートと前記袖サポートとの間に保持し、前記衣類の各肩部と前記衣類の首回り領域との間に前記衣類の折りたたみを維持し、その結果、前記袖の部分が、それぞれ、前記各肩部から二股方向に延在する、袖サポートと、
を含み、
前記袖サポートは、前記袖の外側部分を前記袖サポートの上に折り返すことができる箇所であるエッジを備え、
前記袖サポートの前記エッジは、使用時に前記各袖と略直交して延在するように互いに離反する二股であり、その結果、前記エッジを軸にして前記袖を折りたたんで前記肩部に向かって延在させることができる、衣類キャリア。
【請求項２】
前記袖サポートは、中心リムと前記エッジを画定する一対の二股アームとを備える、
請求項１に記載の衣類キャリア。
【請求項３】
前記袖サポートは、前記衣類サポートに蝶着されている、
請求項１または２に記載の衣類キャリア。
【請求項４】
前記袖サポートの上に配置可能なズボンサポートであって、使用時に前記袖サポートと前記ズボンサポートとの間にズボンを保持する、ズボンサポートをさらに含む、
請求項１〜３のいずれか一項に記載の衣類キャリア。
【請求項５】
前記ズボンサポートは、前記ズボンを前記ズボンサポートの上に折り返すことができるように、使用時に前記ズボンの一部分を前記袖に当てて保持するために配置されている、
請求項４に記載の衣類キャリア。
【請求項６】
前記ズボンサポートは、前記衣類の裾部分を前記ズボンの上に折り返して、折りたたんだ前記衣類内に前記ズボンを保有することができるように使用時に配置される、
請求項４または５に記載の衣類キャリア。
【請求項７】
前記衣類サポートは、折りたたんだ前記衣類が実質的に封入されるように折りたたみ可能な１つ以上のフラップを含む、
請求項１〜６のいずれか一項に記載の衣類キャリア。
【請求項８】
１つ以上の前記フラップは、前記衣類サポートの向かい合う両辺から延在しかつ使用時に前記衣類の上に折りたたむことができかつ互いに係合する少なくとも２つの第１フラップを含む、
請求項７に記載の衣類キャリア。
【請求項９】
前記第１フラップの一方は、使用時に前記衣類の前記首回り領域および前記肩部の上に折りたたむことができる、
請求項８に記載の衣類キャリア。
【請求項１０】
前記衣類サポートのさらなる両辺から延在する一対のさらなるフラップを含む、
請求項８または９に記載の衣類キャリア。
【請求項１１】
衣類の肩部に適合するように形成された表面を備える肩部サポートをさらに含む、
請求項１〜１０のいずれか一項に記載の衣類キャリア。
【請求項１２】
前記肩部サポートは、凸状面または丸く膨れた上面を含む、
請求項１１に記載の衣類キャリア。
【請求項１３】
前記肩部サポートは、平坦な基部を含む、
請求項１１または１２に記載の衣類キャリア。
【請求項１４】
前記肩部サポートは、ストラップによって前記衣類サポートに接続されている、
請求項１１〜１３のいずれか一項に記載の衣類キャリア。
【請求項１５】
前記肩部サポートは、前記袖サポートを係合するためのループまたはタブを含む、
請求項１１〜１４のいずれか一項に記載の衣類キャリア。
【請求項１６】
前記肩部サポートは、前記衣類の肩部に配置可能であり、前記衣類キャリアの使用時に前記肩部の形状を維持する、
請求項１１〜１５のいずれか一項に記載の衣類キャリア。
【請求項１７】
前記肩部サポートは、前記衣類の前記袖を通して前記衣類の前記肩部内に挿入可能である、
請求項１６に記載の衣類キャリア。
【請求項１８】
前記肩部サポートは、前記衣類の前記首回り領域を介して前記衣類の前記肩部内に挿入可能である、
請求項１６に記載の衣類キャリア。
【請求項１９】
前記肩部サポートは、使用時に前記衣類の外面上に配置可能であり、また、前記衣類の前記折りたたみは、前記肩部サポートの周囲で形成される、
請求項１６に記載の衣類キャリア。
【請求項２０】
前記衣類の各肩部のための肩部サポートを含む、
請求項１１〜１９のいずれか一項に記載の衣類キャリア。
【請求項２１】
衣類サポート（１４）に衣類（１０）を配置し、
前記衣類サポート（１４）の上に袖サポート（１６）を配置し、前記袖サポート（１６）は、袖（１２）の部分（２２）が各肩部（１８）から二股方向に延在するように、各肩部（１８）と前記衣類（１０）の首回り領域（２０）との間に前記衣類（１０）の折り目を維持し、
前記袖（１２）が前記肩部（１８）に向かって延在するように、前記袖サポート（１６）の互いに離反するエッジ（１１０）の上で前記袖（１２）を折りたたみ、前記互いに離反するエッジ（１１０）は各袖（１２）と略直交して延在する、
衣類キャリア（２００）の使用方法。
【請求項２２】
前記衣類（１０）はズボン（７６）を備え、
前記袖サポート（１６）とズボンサポート（６８）との間に前記ズボン（７６）を保持するために、前記袖サポート（１６）上に前記ズボンサポート（６８）を配置する、
請求項２１に記載の衣類キャリア（２００）の使用方法。
【請求項２３】
前記衣類（１０）を封入するために、前記衣類（１０）の上に前記衣類サポート（１４）のフラップ（５２，５４）を折りたたむ、
請求項２１または２２に記載の衣類キャリア（２００）の使用方法。
【手続補正２】
【補正対象書類名】明細書
【補正対象項目名】発明の名称
【補正方法】変更
【補正の内容】
【発明の名称】衣類キャリアおよびその使用方法
【手続補正３】
【補正対象書類名】明細書
【補正対象項目名】０００１
【補正方法】変更
【補正の内容】
【０００１】
本発明は、衣類を収容するための衣類キャリアおよびその使用方法に関し、特に袖付きの衣類を収容するための衣類キャリアおよびその使用方法に関する。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
オペレーションを行うように構成されたハードウェアを備えるシステムであって、前記オペレーションは、
放射線治療のコースの少なくとも一部の間又は後に行われる後続の浮腫分析と、基準浮腫分析（前記放射線治療のコースから得られる患者の組織における浮腫の変化を評価するために前記後続の浮腫分析の前に行われる）とを比較し、
前記放射線治療のコース中に放射線の照射線量と相関関係がある患者の組織の浮腫の変化の少なくとも一部に基づき浮腫の照射線量相関を導出し、
前記浮腫の放射線量相関に基づいて１以上の臨床行動を行う、
ことを含む方法。
【請求項２】
前記後続の浮腫分析及び基準浮腫分析は、ＭＲＩスキャン、Ｔ１強調ＭＲＩスキャン、Ｔ２強調ＭＲＩスキャン、Ｔ１強調ＭＲＩスキャン結果に対するＴ１強調ＭＲＩの比率、及びＭＲＩ反応率の少なくとも１つを含む、請求項１に記載のシステム。
【請求項３】
前記比較は、前記浮腫の変化のプロキシとして前記患者の組織における遊離水素の含有量の変化を定量化することを含み、前記定量化は、前記患者の組織の位置の関数として遊離水素の相対量を導出するために前記後続の浮腫分析及び前記基準浮腫分析の差次的分析を行うことを含む、請求項１〜２のいずれか１つに記載のシステム。
【請求項４】
前記浮腫の照射線量相関の導出は、前記患者の組織に実際に照射された放射線の量及び前記患者の組織に照射される放射線の期待量の１以上を導出するために、物理的な線量照射の推定又はモデルの１以上を適用することを含む、請求項１〜３のいずれか１つに記載のシステム。
【請求項５】
前記患者の組織に実際に照射された又は照射されるべきと期待される放射線の導出量は、１以上の入力の少なくとも一部に基づいており、前記少なくとも１つの入力は、事前の放射線治療計画、及び前記患者の組織のイントラ・フラクション動作に基づき放射線の受信線量を推定するＭＲＩ及び放射線照射アプローチの組合せの少なくとも１つを含む、請求項４に記載のシステム。
【請求項６】
前記オペレーションは、更に、前記照射線量と前記患者の組織における浮腫の変化とを関連付けることを含み、前記関連付けは、前記浮腫の変化が、期待値と比較して前記疾患組織及び周囲組織の期待される治療効果にどの程度対応するかを定量化することを含む、請求項１〜５のいずれか１つに記載のシステム。
【請求項７】
前記浮腫の照射線量相関に基づく前記１以上の臨床行動は、更なる分析のための前記治療のコースを停止すること、臨床医に警告すること、前記治療のコースの後期のフラクションで照射される放射線量を増加すること、及び前記治療のコースの後期のフラクションで照射される放射線の量を減少させることの少なくとも１つを含む、請求項１〜６のいずれか１つに記載のシステム。
【請求項８】
前記放射線治療に使用するための１以上の治療ビームを生成する放射線源であって、前記１以上の治療ビームは、陽子ビーム、重イオンビーム、中性子ビーム、ガンマ放射線ビーム、ベータ放射線ビーム、アルファ放射線ビーム、電離放射線ビーム、及びＸ線ビームの１以上を含む、放射線源、及び
前記ハードウェアと通信し、前記後続の浮腫分析及び前記基準浮腫分析に使用されるＭＲＩスキャンを生成するＭＲＩ装置、
の少なくとも１つを更に含む、請求項１〜７のいずれか１つに記載のシステム。
【請求項９】
少なくとも１つのプロセッサで実行されたとき、少なくとも１つのプログラマブル・
プロセッサにオペレーションを行わせる命令を記憶する機械可読媒体を備えるコンピュータプラグラムであって、前記オペレーションは、
放射線治療のコースの少なくとも一部の間又は後に行われる後続の浮腫分析と、基準浮腫分析（前記放射線治療のコースから得られる患者の組織における浮腫の変化を評価するために前記後続の浮腫分析の前に行われる）とを比較し、
前記放射線治療のコース中に放射線の照射線量と相関関係がある患者の組織の浮腫の変化の少なくとも一部に基づき浮腫の照射線量相関（edema to delivered dose correlation）を導出し、
前記浮腫の放射線量相関に基づいて１以上の臨床行動を行う、
ことを含む、コンピュータプログラム。
【請求項１０】
前記後続の浮腫分析及び基準浮腫分析は、ＭＲＩスキャン、Ｔ１強調ＭＲＩスキャン、Ｔ２強調ＭＲＩスキャン、Ｔ１強調ＭＲＩスキャン結果に対するＴ１強調ＭＲＩの比率、及びＭＲＩ反応率の少なくとも１つを含む、請求項９に記載のコンピュータプログラム。
【請求項１１】
前記比較は、前記浮腫の変化のプロキシとして前記患者の組織における遊離水素の含有量の変化を定量化することを含み、前記定量化は、前記患者の組織の位置の関数として遊離水素の相対量を導出するために前記後続の浮腫分析及び前記基準浮腫分析の差次的分析を行うことを含む、請求項９〜１０のいずれか１つに記載のコンピュータプログラム。
【請求項１２】
前記浮腫の照射線量相関の導出は、前記患者の組織に実際に照射された放射線の量及び前記患者の組織に照射される放射線の期待量の１以上を導出するために、物理的な線量照射の推定又はモデルの１以上を適用することを含む、請求項９〜１１のいずれか１つに記載のコンピュータプログラム。
【請求項１３】
前記患者の組織に実際に照射された又は照射されるべきと期待される放射線の導出量は、１以上の入力の少なくとも一部に基づいており、前記少なくとも１つの入力は、事前の放射線治療計画、及び前記患者の組織のイントラ・フラクション動作に基づき放射線の受信線量を推定するＭＲＩ及び放射線照射アプローチの組合せの少なくとも１つを含む、請求項１２に記載のコンピュータプログラム。
【請求項１４】
更に、前記照射線量と前記患者の組織における浮腫の変化とを関連付けることを含み、前記関連付けは、前記浮腫の変化が、期待値と比較して前記疾患組織及び周囲組織の期待される治療効果にどの程度対応するかを定量化することを含む、請求項９〜１３のいずれか１つに記載のコンピュータプログラム。
【請求項１５】
前記浮腫の照射線量相関に基づく前記１以上の臨床行動は、更なる分析のための前記治療のコースを停止すること、臨床医に警告すること、前記治療のコースの後期のフラクションで照射される放射線量を増加すること、及び前記治療のコースの後期のフラクションで照射される放射線の量を減少させることの少なくとも１つを含む、請求項９〜１４のいずれか１つに記載のコンピュータプログラム。
【手続補正２】
【補正対象書類名】明細書
【補正対象項目名】０１０４
【補正方法】変更
【補正の内容】
【０１０４】
【数２】
2015533581.tif 000001